【手続補正書】
【提出日】平成20年5月13日(2008.5.13)
【手続補正１】
【補正対象書類名】特許請求の範囲
【補正対象項目名】全文
【補正方法】変更
【補正の内容】
【特許請求の範囲】
【請求項１】
計算システムに着脱可能に結合する電子データ記憶カートリッジであって、
該記憶カートリッジは、
カートリッジ本体であって、少なくとも二つの外部表面を含むカートリッジ本体と、
該計算システムに着脱可能に結合するコネクタであって、該カートリッジ本体の外部へと情報を結合するコネクタと、
該二つの外部表面の間で光を結合するように構成される光導波路と、
該コネクタに結合されるハードディスクドライブと、
該カートリッジ本体上の機械式スイッチであって、アクティブなときに該ハードディスクドライブ上の情報の改変を防ぐ機械式スイッチである書き込み防止スイッチと
を備える、計算システムに着脱可能に結合する電子データ記憶カートリッジ。
【請求項２】
前記カートリッジ本体は、嵌合システムを備えるベイへの該カートリッジ本体の着脱可能な挿入のために構成され、
前記書き込み防止スイッチは、該嵌合システムと係合するように構成される、請求項１に記載の計算システムに着脱可能に結合する電子データ記憶カートリッジ。
【請求項３】
前記カートリッジ本体は、ベイへの該カートリッジ本体の着脱可能な挿入のために構成され、
前記書き込み防止スイッチの位置は、該カートリッジ本体が該ベイに挿入されると見えない、請求項１に記載の計算システムに着脱可能に結合する電子データ記憶カートリッジ。
【請求項４】
前記カートリッジ本体は、光指示器を備えるベイへの該カートリッジ本体の着脱可能な挿入のために構成され、
前記光導波路は、一つの外部表面において該光指示器から光を受信し、該光を別の外部表面に結合することにより、前記電子データ記憶カートリッジが書き込み防止されていることを視覚的に表示する、請求項１に記載の計算システムに着脱可能に結合する電子データ記憶カートリッジ。
【請求項５】
前記二つの外部表面は、前記記憶カートリッジの対向する端部にある、請求項１に記載の計算システムに着脱可能に結合する電子データ記憶カートリッジ。
【請求項６】
前記ハードディスクドライブは、前記少なくとも二つの外部表面の間に拘束される、請求項１に記載の計算システムに着脱可能に結合する電子データ記憶カートリッジ。
【請求項７】
前記コネクタは、光学式コネクタおよび電気式コネクタのうちの少なくとも一つである、請求項１に記載の計算システムに着脱可能に結合する電子データ記憶カートリッジ。
【請求項８】
前記カートリッジ本体の内部にある電子回路網であって、前記コネクタに結合される電子回路網をさらに備える、請求項１に記載の計算システムに着脱可能に結合する電子データ記憶カートリッジ。
【請求項９】
前記ハードディスクドライブは、シリアルアドバンストテクノロジーアタッチメント（ＳＡＴＡ）インターフェイス、またはパラレルアドバンストテクノロジーアタッチメント（ＰＡＴＡ）インターフェイスを備える、請求項１に記載の計算システムに着脱可能に結合する電子データ記憶カートリッジ。
【請求項１０】
前記光導波路の一端は、
前記記憶カートリッジのアクセスと、
該記憶カートリッジへの給電と
のうちの少なくとも一つを指示する状態指示器を提供する、請求項１に記載の計算システムに着脱可能に結合する電子データ記憶カートリッジ。
【請求項１１】
前記記憶カートリッジのロックを解くべきか、かつ／または該記憶カートリッジをイジェクトすべきかを前記計算システムに信号で通知するイジェクト選択手段をさらに備える、請求項１に記載の計算システムに着脱可能に結合する電子データ記憶カートリッジ。
【請求項１２】
計算システムのための着脱可能ストレージを提供する方法であって、
該方法は、
電子データ記憶カートリッジを提供することであって、該電子データ記憶カートリッジは、少なくとも二つの外部表面を含むカートリッジ本体と、該二つの外部表面の間で光を結合するように構成される光導波路と、コネクタに結合されるハードディスクドライブと、該カートリッジ本体上の機械式書き込み防止スイッチとを備え、該コネクタは、該計算システムへと情報を結合するように構成される、ことと、
該書き込み防止スイッチの位置の決定と、該書き込み防止スイッチがアクティブ位置にあるときの該ハードディスクドライブ上の情報の改変の防止とを可能にするように構成された該書き込み防止スイッチを提供することと、
一つの外部表面において、該計算システム内の光指示器から光を受信することと、
該光を別の外部表面に結合することにより、該電子データ記憶カートリッジが書き込み防止されていることを視覚的に表示することと
を包含する、方法。
【請求項１３】
情報を処理および着脱可能に記憶するシステムであって、
該システムは、
計算システムと、
少なくとも二つの外部表面を含むカートリッジ本体と、該二つの外部表面の間で光を結合するように構成される光導波路と、コネクタに結合されるハードディスクドライブと、該カートリッジ本体上の機械式書き込み防止スイッチとを備える電子データ記憶カートリッジであって、該コネクタは、該計算システムへと情報を結合するように構成される、電子データ記憶カートリッジと、
該計算システムの内部にあるベイであって、該電子データ記憶カートリッジを受容するように構成されるベイと、
該ベイの内部にある光指示器と
を備え、
該書き込み防止スイッチがアクティブ位置にあり、かつ、該カートリッジが該ベイに挿入されているときに、該光指示器からの光は、該電子データ記憶カートリッジの一つの外部表面において該光導波路内部へと受信され、別の外部表面に結合されることにより、該電子データ記憶カートリッジが書き込み防止されていることを視覚的に表示する、情報を処理および着脱可能に記憶するシステム。
【請求項１４】
前記機械式書き込み防止スイッチの位置は、前記電子データ記憶カートリッジが前記ベイに挿入されているときに見えない、請求項１３に記載の情報を処理および着脱可能に記憶するシステム。
【請求項１５】
計算システムに着脱可能に結合する電子データ記憶カートリッジであって、
該記憶カートリッジは、
カートリッジ本体であって、外部表面を含むカートリッジ本体と、
該計算システムに着脱可能に結合するコネクタであって、該カートリッジ本体の外部に情報を結合するコネクタと、
該外部表面の外部からの光を該カートリッジ本体の内部に結合するように構成される光導波路と、
該コネクタに結合される記憶媒体と、
該カートリッジ本体上の機械式スイッチであって、アクティブなときに該記憶媒体上の情報の改変を防ぐ機械式スイッチである機械式書き込み防止スイッチと
を備える、計算システムに着脱可能に結合する電子データ記憶カートリッジ。
【請求項１６】
前記記憶媒体は既製のハードディスクドライブを備える、請求項１５に記載の計算システムに着脱可能に結合する電子データ記憶カートリッジ。
【請求項１７】
前記記憶媒体は、情報を記憶するためにソリッドステートメモリを使用する、請求項１５に記載の計算システムに着脱可能に結合する電子データ記憶カートリッジ。
【請求項１８】
前記カートリッジ本体は、嵌合システムを備えるベイへの該カートリッジ本体の着脱可能な挿入のために構成され、
前記書き込み防止スイッチは、該嵌合システムと係合するように構成される、請求項１５に記載の計算システムに着脱可能に結合する電子データ記憶カートリッジ。
【請求項１９】
前記カートリッジ本体は、ベイへの該カートリッジ本体の着脱可能な挿入のために構成され、
前記書き込み防止スイッチの位置は、該カートリッジ本体が該ベイに挿入されると見えない、請求項１５に記載の計算システムに着脱可能に結合する電子データ記憶カートリッジ。
【請求項２０】
前記カートリッジ本体は、光指示器を備えるベイへの該カートリッジ本体の着脱可能な挿入のために構成され、
前記光導波路は、一つの外部表面において該光指示器から光を受信し、該光を別の外部表面に結合することにより、前記電子データ記憶カートリッジが書き込み防止されていることを視覚的に表示する、請求項１５に記載の計算システムに着脱可能に結合する電子データ記憶カートリッジ。
【請求項２１】
計算システムに着脱可能に結合する電子データ記憶カートリッジであって、
該記憶カートリッジは、
カートリッジ本体であって、外部表面を含むカートリッジ本体と、
該計算システムに着脱可能に結合するコネクタであって、該カートリッジ本体の外部に情報を結合するコネクタと、
エミッタからの光を該カートリッジ本体の該外部表面上の可視指示器に結合するように構成される光導波路と、
該コネクタに結合される記憶媒体と、
該カートリッジ本体上の機械式スイッチであって、アクティブなときに該記憶媒体上の情報の改変を防ぐ機械式スイッチである書き込み防止スイッチと
を備える、計算システムに着脱可能に結合する電子データ記憶カートリッジ。
【請求項２２】
前記記憶媒体はハードディスクドライブである、請求項２１に記載の計算システムに着脱可能に結合する電子データ記憶カートリッジ。
【請求項２３】
前記記憶媒体は、情報を記憶するためにソリッドステートメモリを使用する、請求項２１に記載の計算システムに着脱可能に結合する電子データ記憶カートリッジ。
【請求項２４】
前記エミッタは、前記電子データ記憶カートリッジ内にある、請求項２１に記載の計算システムに着脱可能に結合する電子データ記憶カートリッジ。
【請求項２５】
前記外部表面は、第１の外部表面であり、
前記エミッタは、前記計算システム内に構成されており、
前記光導波路は、該第１の外部表面と第２の外部表面との間に延びており、
該光導波路は、該エミッタから該第２の外部表面において光を受信し、
該光導波路は、該光を前記可視指示器に結合する、請求項２１に記載の計算システムに着脱可能に結合する電子データ記憶カートリッジ。
【請求項２６】
計算システムに着脱可能に結合する電子データ記憶カートリッジであって、
該記憶カートリッジは、
カートリッジ本体であって、外部表面を含むカートリッジ本体と、
該計算システムに着脱可能に結合するコネクタであって、該カートリッジ本体の外部に情報を結合するコネクタと、
エミッタからの光を該カートリッジ本体の該外部表面上の可視指示器に結合するように構成される光導波路と、
該コネクタに結合される記憶媒体と、
該電子データ記憶カートリッジについての情報を示すディスプレイと
を備える、計算システムに着脱可能に結合する電子データ記憶カートリッジ。
【請求項２７】
前記記憶媒体はハードディスクドライブである、請求項２６に記載の計算システムに着脱可能に結合する電子データ記憶カートリッジ。
【請求項２８】
前記記憶媒体は、情報を記憶するためにソリッドステートメモリを使用する、請求項２６に記載の計算システムに着脱可能に結合する電子データ記憶カートリッジ。
【請求項２９】
前記電子データ記憶カートリッジについての情報は、前記記憶媒体の使用済み容量または残存容量を含む、請求項２６に記載の計算システムに着脱可能に結合する電子データ記憶カートリッジ。
【請求項３０】
前記電子データ記憶カートリッジについての情報は、最終バックアップ時間を含む、請求項２６に記載の計算システムに着脱可能に結合する電子データ記憶カートリッジ。
【請求項３１】
ボタンをさらに備え、前記ディスプレイは、前記ボタンが作動されたときのみに、作動される、請求項２６に記載の計算システムに着脱可能に結合する電子データ記憶カートリッジ。
【請求項３２】
前記ディスプレイ上の情報は、前記計算システム上でソフトウェアを実行することによって、プログラムされる、請求項２６に記載の計算システムに着脱可能に結合する電子データ記憶カートリッジ。